(57)【要約】  【課題】プロジェクタなどの光源の強さを２段階に変え得る、耐久性のあるモータ駆動式の光源光調節用の絞り装置を提供すること。  【解決手段】モータ１３の回転は、ウォーム１４，ウォームホイール１６，ピニオン歯車１５，２段歯車２１を介して、駆動歯車２２に伝達されるが、ウォームホイール１６とピニオン歯車１５との間には、スリップ機構が構成されている。収容室内に配置されているアーム２５は、第１地板１に回転可能に取り付けられていて、先端に設けたピン２５ａを絞り板３の長孔３ｅに嵌合させている。駆動歯車２２に設けられた駆動ピン２２ａは、第１地板１の長孔１ｂを貫通し、駆動アーム２５に連結されている。従って、駆動歯車２２と駆動アーム２５は同時に同じ方向へ回転して絞り板３を作動させるようになっており、駆動ピン２２ａが長孔１ｂの長手方向の端に当接すると、スリップ機構がスリップするようになっている。【選択図】  図３
2005164819.tif 000002
【特許請求の範囲】
【請求項１】
各々の開口部を重ねて光路用の大きい開口部を規制していると共に両者の間に収容室を構成している二つの地板と、光路用の小さい開口部を有していて前記収容室に配置されている絞り部材と、前記大きい開口部から退いた前記大きい開口部による第１の絞り制御位置と前記大きい開口部に進入した前記小さい開口部による第２の絞り制御位置との間で前記絞り部材を駆動するモータと、前記モータと前記絞り部材との間に配置されていて前記モータの駆動力を前記絞り部材に伝達し前記絞り部材が前記第１の絞り制御位置と前記第２の絞り制御位置とでストッパに当接したときは前記モータの回転が前記絞り部材に伝達されないようにしたスリップ機構と、を備えていることを特徴とする光源光調節用の絞り装置。
【請求項２】
前記スリップ機構が、前記モータの出力軸上に設けられていることを特徴とする請求項１に記載の光源光調節用の絞り装置。
【請求項３】
前記モータと前記絞り部材との間に歯車減速機構が備えられていて、前記スリップ機構が、該歯車減速機構に組み込まれていることを特徴とする請求項１に記載の光源光調節用の絞り装置。
【請求項４】
前記絞り部材が、一端を前記二つの地板の一方に回転可能に取り付けられた駆動アームの他端に連結されていて、該アームが前記モータの駆動力で回転するとき、前記二つの地板の少なくとも一方に設けられたガイド手段に案内され、直線的に作動するようにしたことを特徴とする請求項１乃至３の何れかに記載の光源光調節用の絞り装置。
【発明の詳細な説明】
【技術分野】
【０００１】
本発明は、プロジェクタや投光装置に用いられる光源光調節用の絞り装置に関する。
【背景技術】
【０００２】
液晶パネル，ＤＭＤ（デジタルマイクロミラーデバイス）などを備えていたり、フィルムなどを使用する各種のプロジェクタには、投影する室内の明るさに対応させて光源からの照明光量を変化させたり、何も投影していないときには一時的に照明光を弱くしたりするために、光源自体の発光光量を変化させるのではなく、光源光の光路に絞り装置を配置して、その光路面積を変化させるようにしたものがある。そして、特に液晶プロジェクタの場合には、そのような絞り装置を配置することによって、液晶パネルの劣化を防止できることが知られている（特許文献１参照）。
【０００３】
また、投影光学系を変倍光学系としたオーバーヘッドプロジェクタにおいては、高倍率時における投影画像を好適に得るために、原稿を載せるステージと光源との間に絞り装置を配置しておき、投影光学系の変倍動作に連動して、その光路用開口の面積を変化させるようにしたものが知られている（特許文献２参照）。更に、舞台やスタジオなどで照明用に使用される投光装置には、光源から出射された光の投光範囲や投光形状を規制するために、光源の近傍位置に絞り装置を配置したものが知られている（特許文献３参照）。
【特許文献１】特開２００１−１７４９１０号公報
【特許文献２】特開平８−２２７１０２号公報
【特許文献３】特開平７−９９００２号公報
【発明の開示】
【発明が解決しようとする課題】
【０００４】
上記のような光源の照明光量を調節する絞り装置の中には、光路の開口面積を種々の大きさに調節できるようにしたものがある。しかしながら、中には、大きい光路用開口と小さい光路用開口との切り換えができるだけでよい場合がある。また、そのような切り換えは、手動で行っても構わないが、最近では、特許文献２にも記載されているように、殆どの場合、モータなどのアクチュエータを用いて行うのが普通になっている。本発明は、そのように、大きい光路用開口と小さい光路用開口とのいずれかを、モータで切り換えて、選択できるようにした光源光調節用の絞り装置に関するものである。
【０００５】
ところで、この種の絞り装置のモータには、一般的にステップモータや、ＤＣモータが使用される。しかしながら、それらのモータは、回転数が大きいため、回転を開始した直後に停止させることは極めて困難である。そのため、モータによって直接絞り部材を駆動するようにした場合は、絞り部材がストッパに当接して停止した後でも、モータはかなりしばらくの間、回転し続けようとする。ところが、プロジェクタなどの小型化に伴って、この種の絞り装置も小型化され、各構成部材が小型化，薄型化されているため、絞り部材の停止後もそのような回転力が長く加わると、絞り部材などが変形されたりしてしまうようになる。また、モータ自体の耐久性にも影響を与えてしまうようになる。
【０００６】
このような場合、モータと絞り部材との間に減速歯車機構を設け、モータの回転を開始直後に停止させなくても済むようにするのが一般的である。ところが、上記のように、この種の絞り装置は、小型化することが要求されていることから、大きい歯車を採用したり、数多くの歯車を採用するわけにはいかない。それは、単に、大型化してしまうということだけではなく、コストの点でも（歯車部品は高い）不利になってしまうからである。そのために、減速比の小さな減速歯車機構を設けざるを得なくなるが、そのようにすると、設けない場合よりは良くなるものの、絞り部材がストッパに当接する時機と、モータが停止する時機とを略一致させるようにすることにはほど遠く、依然として、構成部材の変形やモータの耐久性に及ぼす影響を完全に無くすことは困難である。
【０００７】
本発明は、このような問題点を解決するためになされたものであり、その目的とするところは、モータによって駆動された絞り部材が、ストッパに当接して所定の位置で停止した後は、モータの回転が絞り部材に伝達されないようにした光源光調節用の絞り装置を提供することである。
【課題を解決するための手段】
【０００８】
上記の目的を達成するために、本発明の光源光調節用の絞り装置は、各々の開口部を重ねて光路用の大きい開口部を規制していると共に両者の間に収容室を構成している二つの地板と、光路用の小さい開口部を有していて前記収容室に配置されている絞り部材と、前記大きい開口部から退いた前記大きい開口部による第１の絞り制御位置と前記大きい開口部に進入した前記小さい開口部による第２の絞り制御位置との間で前記絞り部材を駆動するモータと、前記モータと前記絞り部材との間に配置されていて前記モータの駆動力を前記絞り部材に伝達し前記絞り部材が前記第１の絞り制御位置と前記第２の絞り制御位置とでストッパに当接したときは前記モータの回転が前記絞り部材に伝達されないようにしたスリップ機構と、を備えているようにする。
【０００９】
その場合、前記スリップ機構が、前記モータの出力軸上に設けられているようにしてもよいし、前記モータと前記絞り部材との間に歯車減速機構を備え、該歯車減速機構に組み込まれているようにしてもよい。また、前記絞り部材が、一端を前記二つの地板の一方に回転可能に取り付けられた駆動アームの他端に連結されていて、該アームが前記モータの駆動力で回転するとき、前記二つの地板の少なくとも一方に設けられたガイド手段に案内され、直線的に作動するように構成してもよい。
【発明の効果】
【００１０】
本発明によれば、モータによって駆動された絞り部材が、ストッパに当接して所定の位置で停止した後は、スリップ機構にスリップが生じるため、モータや絞り部材に無理な力が加わらない。それによって、構成部材に変形が生じたり、モータの耐久性に影響を与えたりするよなことがなくなるため、本発明の光源光調節用の絞り装置は、小型のプロジェクタや投光装置に採用して極めて有効なものである。
【発明を実施するための最良の形態】
【００１１】
本発明の実施の形態を、図示した二つの実施例によって説明する。尚、図１〜図４は、実施例１を説明するためのものであって、図１は、小さい光路用開口の選択状態（絞り込み状態）を示した正面図であり、図２は、図１の右側面図であり、図３は、図１における一方の地板の一部を切り欠き且つモータ取付板を除いた状態で示した正面図であり、図４は、減速歯車機構に設けられているスリップ機構の説明図である。また、図５及び図６は、実施例２を説明するためのものであって、図５は、図３と同じ状態を同じようにして示した正面図であり、図６は、モータの出力軸に設けられているスリップ機構の説明図である。
【実施例１】
【００１２】
先ず、本実施例の構成を説明する。第１地板１と第２地板２とは、外形形状と大きさが略同じであって、長方形に近い形状をしているが、図３においては、第１地板１の上方の約半分を切除して示してある。そして、それらの地板１，２は、所定の間隔を空けて相互に取り付けられており、それらの間を絞り板３の収容室としている。また、二つの地板１，２は、それらの長手方向、即ち上下方向の上側約半分の領域に、大きな開口部１ａ，２ａを有しており、それらを重ねて配置することにより、大きい光路用開口を規制している。但し、開口部１ａ，２ａの大きさを若干異なるようにし、小さい方の開口部によって、大きい光路用開口を規制するようにしてもよい。また、第２地板２は、左右両側に長い折曲部２ｂ，２ｃを有していて、それらを絞り板３のガイド部にしている。しかし、同様な折曲部を第１地板１だけに設けるようにしてもよいし、両方に一つずつ設けるようにしてもよい。そして、第２地板２には、下側約半分の領域に、円弧状をした長孔２ｄ（図３参照）が形成されている。
【００１３】
絞り板３は、地板１，２の約半分の大きさをしており、略中央には、小さい光路用開口（絞り開口）を規制する開口部３ａを有している。また、絞り板３の左辺近傍には二つのピン３ｂ，３ｃが設けられ、右辺近傍には一つのピン３ｄが設けられているが、これらのピン３ｂ，３ｃ，３ｄは、絞り板３の表裏に突き出ていて、絞り板３が上下方向へ移動するとき、第１地板１と第２地板２に摺接するようになっている。更に、絞り板３には、その左下方位置に、直線状の長孔３ｅが形成されている。
【００１４】
第１地板１には、所定の間隔を空けて、四つのねじ４により支持板５が取り付けられている。また、その支持板５には、垂直になるようにして、プリント配線板６が二つのねじ７によって取り付けられており、そのプリント配線板６には、コネクタ８（図１参照）と、二つのセンサ９，１０とが取り付けられている。そのうち、二つのセンサ９，１０は、フォトインタラプタと称されているセンサであって、発光部と受光部との間の光路が遮断されているとＬ信号を発し、その遮断状態が解除されているとＨ信号を発するようになっている。そして、それらのセンサ９，１０は、第１地板１と支持板５の間に配置されている。
【００１５】
支持板５には、さらに、モータ取付板１１が四つのねじ１２によって取り付けられていて、そのモータ取付板１１にはモータ１３が取り付けられている。しかしながら、図３においては、モータ取付板１１の背面側に配置されている部材を分かり易くするために、そのモータ取付板１１の図示を省略してある。また、本実施例のモータ１３は、正・逆転可能なＤＣモータであって、その出力軸１３ａには、ウォーム１４が取り付けられている。
【００１６】
図２に示されているように、ピニオン歯車１５は、フランジ部１５ａを有していて、二つの軸部１５ｂ，１５ｃの先端をモータ取付板１１に形成された孔と第１地板１に形成された孔に軸受けされている。また、ピニオン歯車１５の軸部１５ｂにはウォームホイール１６が回転可能に取り付けられていて、上記のウォーム１４に噛合して回転させられ、モータ１３の回転を減速するようになっている。そして、ピニオン歯車１５とウォームホイール１６との間にはスリップ機構が構成されていて、通常は両者が共に同じ方向へ回転するが、ピニオン歯車１５に大きな負荷がかかり回転が不能になると、ウォームホイール１６だけが空転するようになっている。
【００１７】
そこで、そのスリップ機構の具体的な構成を、図４を用いて説明する。ピニオン歯車１５の軸部１５ｂは、フランジ部１５ａから長く形成されていて、そこに、先ず、各々２枚の皿ばね座金１７と平座金１８とを順に嵌装しておいてからウォームホイール１６を嵌装し、その後、２枚の平座金１９を嵌装しておいてから、軸部１５ｂの周囲に形成された環状の溝に止め輪（Ｅリング）２０を嵌め込んで、それらの嵌装部材の脱落を防ぐと共に、皿ばね座金１７の弾性による軸方向の摩擦力によって、ウォームホイール１６の回転を、平座金１８，１９と皿ばね座金１７を介してピニオン歯車１５に伝達するようにしている。
【００１８】
次に、第１地板１と支持板５との間には、２段歯車２１が軸受けされていて、直径の大きな親歯車が上記のピニオン歯車１５に噛合している。更に、第１地板１と支持板５との間には、駆動歯車２２とセンサ用歯車２３とが軸受けされている。そのうち、駆動歯車２２は、部分歯車であって、２段歯車２１の直径の小さい子歯車とセンサ用歯車２３とに噛合している。そのため、モータ１３の回転は、上記したように、ウォーム１４とウォームホイール１６の間で減速され、さらに、２段歯車２１によって減速されて、駆動歯車２２に伝達されることになる。そして、駆動歯車２２は、駆動ピン２２ａを有していて、それを、第１地板１に形成されている円弧状の長孔１ｂを貫通させ、収容室内に臨ませている。
【００１９】
また、上記のセンサ用歯車２３には、同軸上で一体的に回転するセンサ板２４が取り付けられている。このセンサ板２４は、扇形をしていて、スリット２４ａを形成している外周部を、上記の二つのセンサ９，１０の発光部と受光部との間に挿入している。そして、図３においては、センサ９は、その光路内にスリット２４ａがあるため、Ｈ信号を発する状態になっているが、センサ１０は、その光路が外周部によって遮断されているため、Ｌ信号を発する状態になっている。
【００２０】
二つの地板１，２の間に構成されている収容室に、駆動アーム２５が配置されている。この駆動アーム２５は、図示していないが、駆動歯車２２の回転軸と同心になるようにして第１地板１に設けられている軸に、回転可能に取り付けられている。そして、その駆動アーム２５に設けられた孔には、駆動歯車２２に設けた上記の駆動ピン２２ａが嵌合している。そのため、この駆動アーム２５は、駆動歯車２２の回転に伴って、同じ方向へ同じ角度だけ回転するようになっている。また、この駆動アーム２５は、先端にピン２５ａを有していて、それを、絞り板３の長孔３ｅと第２地板２の長孔２ｄに挿入している。
【００２１】
次に、本実施例の作動を説明する。図１及び図３は、絞り板３が、地板１，２の開口部１ａ（２ａ）に進入し、開口部３ａによって小さい光路開口を規制している絞り込み状態を示したものである。図３に示すように、このとき、駆動歯車２２の駆動ピン２２ａは、第１地板１に形成された円弧状の長孔１ｂの右端に接触している。また、センサ用歯車２３と一体的に回転するセンサ板２４が、センサ９の光路は遮断していないが、センサ１０の光路を遮断しているので、センサ９からはＨ信号が、センサ１０からはＬ信号が発せられていて、絞り板３が小さい光路開口の制御位置にあることを認識させることが可能になっている。
【００２２】
この状態において、光源の照明光量を強くしたい場合には、モータ１３を順方向へ回転させる。そして、その回転は、ウォーム１４とウォームホイール１６とで構成されるウォーム機構によって減速され、皿ばね座金１７の弾性によって上記のスリップ機構にスリップを生じさせることなく、ピニオン歯車１５に伝えられる。そのため、ピニオン歯車１５は、図３において、反時計方向へ回転され、その回転が２段歯車２１によって減速されて、駆動歯車２２に伝えられる。それによって、駆動歯車２２は、反時計方向へ回転し、一方では駆動ピン２２ａによって駆動アーム２５を反時計方向へ回転させ、他方では、センサ歯車２３を介して、センサ板２４を時計方向へ回転させる。その結果、絞り板３は、第２地板２の折曲部２ｂ，２ｃに案内されて下方へ移動し、開口部１ａから退いていく。他方、センサ板２４が回転を開始すると、直ちにセンサ９の光路が遮断されるので、センサ９，１０は、いずれもＬ信号を発することになり、絞り板３が移動を開始したことを認識することが可能になる。
【００２３】
その後、絞り板３が開口部１ａ（２ａ）から完全に退くと、その直後に、駆動ピン２２ａが長孔１ｂの左端に当接し、駆動歯車２２の回転が停止する。そのため、センサ板２４の回転も停止するが、このときには、センサ板２４が、センサ９の光路を遮断しているが、センサ１０の光路を遮断していないところまで回転しているので、センサ９からはＬ信号が、センサ１０からはＨ信号が発せられていて、絞り板３が、開口部１ａ（２ａ）による大きい光路開口の制御位置にあることを認識させることが可能になっている。他方、上記のようにして、駆動歯車２２の回転が停止すると２段歯車２１も停止するので、ピニオン歯車１５は回転することができず、上記のスリップ機構の摩擦力に打ち勝ってスリップが生じ、モータ１３とウォーム機構だけが回転することになり、所定時間後に停止する。
【００２４】
次に、このような大きい光路開口の制御状態において、光源の照明光量を弱くしたい場合には、モータ１３を逆方向へ回転させる。そうすると、その回転は、ウォーム機構によって減速され、スリップ機構を介してピニオン歯車１５に伝えられる。そのため、ピニオン歯車１５は時計方向へ回転され、２段歯車２１を介して、駆動歯車２２を時計方向へ回転させる。従って、駆動歯車２２は、一方では駆動ピン２２ａによって駆動アーム２５を時計方向へ回転させ、他方では、センサ歯車２３を介して、センサ板２４を反時計方向へ回転させる。その結果、絞り板３は上方へ移動し、開口部１ａへ進入していく。他方、センサ板２４が回転を開始すると、直ちにセンサ１０の光路が遮断されるので、センサ９，１０は、いずれもＬ信号を発することになり、絞り板３が移動を開始したことを認識することが可能になる。
【００２５】
その後、絞り板３の開口部３ａが開口部１ａ（２ａ）の中央位置に達すると、駆動ピン２２ａが長孔１ｂの右端に当接し、駆動歯車２２の回転が停止する。そのため、センサ板２４の回転も停止して、センサ９からはＨ信号が、センサ１０からはＬ信号が発せられて、絞り板３が、開口部３ａによる小さい光路開口の制御位置にあることを認識させる。他方、このようにして、駆動歯車２２の回転が停止すると、上記のスリップ機構にスリップが生じ、モータ１３とウォーム機構だけが回転し、所定時間後に停止する。その停止状態が、図３に示された状態である。
【実施例２】
【００２６】
次に、図５，図６を用いて実施例２を説明する。図５は、上記の図３と同様な小さい光路開口を選択している状態（絞り込み状態）を示したものであり、実施例１で説明した部材，部位と実質的に同じものには同じ符号を付けてある。そのため、本実施例の構成説明は、実施例１の場合と異なる点についてだけ説明することにする。
【００２７】
先ず、本実施例の絞り板３は、実施例１の場合とは異なる形状に開口部３ａを有しているが、そのほかは同じである。また、本実施例の場合には、支持板５にモータ取付板１１が取り付けられておらず、モータ１３は、出力軸１３ａを垂直にして、支持板５に取り付けられている。そして、モータ１３の出力軸１３ａは、第１地板１と支持板５の間に突き出ていて、そこに出力歯車２６が回転可能に取り付けられていると共にスリップ機構が構成されている。また、２段歯車２７が、第１地板１と支持板５に軸受けされていて、その親歯車を出力歯車２６に噛合させ、子歯車を２段歯車２１の親歯車に噛合させて、出力歯車２６の回転を減速するようになっている。
【００２８】
そこで、モータ１３の出力軸１３ａに構成されているスリップ機構の具体的な構成を、図６を用いて説明する。出力軸１３ａは、その根元側と先端側の外周に各々同じ深さの環状の溝が形成されていて、根元側の溝から先端までは、断面が円形ではなく、Ｄ型にまではならないものの、上記の溝より深くならないようにして円形の一部がカットされ、直線部を有する形状に加工されている。そして、先ず、根元側の溝には止め輪（Ｅリング）２８が取り付けられ、そのあと順に、平座金２９，出力歯車２６，平座金３０，コイルばね３１，平座金３２が嵌装され、最後に、先端側の溝に止め輪（Ｅリング）３３が取り付けられている。また、それらの取付状態において、出力歯車２６は、出力軸１３ａに対して回転可能となっているが、平座金２９，３０，３２は、中心に形成されている孔が、出力軸１３ａの断面形状と略同じ形状をしていて、出力軸１３ａと常に一体的に回転するようになっている。
【００２９】
次に、本実施例の作動を説明するが、実施例１の場合とかなり共通するところがあるので、それらの点については出来るだけ簡略化して説明する。図５は、絞り板３が、開口部３ａによって小さい光路開口を規制している絞り込み状態を示したものである。このとき、駆動歯車２２の駆動ピン２２ａは、第１地板１に形成された円弧状の長孔１ｂの右端に接触している。また、センサ９からはＨ信号が、センサ１０からはＬ信号が発せられていて、絞り板３が小さい光路開口の制御位置にあることを認識できるようになっている。
【００３０】
この状態で、光源の照明光量を強くするために、モータ１３を順方向へ回転させると、コイルばね３１の弾性による摩擦力によってスリップ機構にスリップが生じることなく、出力歯車２６が時計方向へ回転し、二つの２段歯車２７，２１によって減速されて、駆動歯車２２が反時計方向へ回転させられる。それによって、一方では駆動アーム２５が反時計方向へ回転して、絞り板３を下方へ移動させ、開口部１ａから退かせていく。また、他方では、センサ板２４が時計方向へ回転して、センサ９，１０から、いずれもＬ信号を発生させ、絞り板３が移動を開始したことを認識可能にする。
【００３１】
その後、絞り板３が開口部１ａから完全に退くと、その直後に、駆動ピン２２ａが長孔１ｂの左端に当接し、駆動歯車２２の回転が停止する。そのため、センサ板２４の回転も停止するが、このときには、センサ９からはＬ信号が、センサ１０からはＨ信号が発せられていて、絞り板３が、開口部１ａによる大きい光路開口の制御位置にあることを認識し得るようにしている。他方、上記のようにして、駆動歯車２２の回転が停止すると２段歯車２７も停止するので、出力歯車２６は回転することができず、上記のスリップ機構の摩擦力に打ち勝ってスリップが生じ、モータ１３だけが回転するようになり、所定時間後に停止する。
【００３２】
次に、大きい光路開口の制御状態において、光源の照明光量を弱くするために、モータ１３を逆方向へ回転させると、スリップ機構にスリップを生じさせずに出力歯車２６が反時計方向へ回転し、駆動歯車２２を時計方向へ回転させる。そのため、一方では駆動アーム２５が時計方向へ回転して、絞り板３を上方へ移動させ、開口部１ａに進入させていく。また、他方では、センサ板２４が反時計方向へ回転して、センサ９，１０を共にＬ信号の発生状態にし、絞り板３が移動を開始したことを認識し得るようにする。
【００３３】
その後、絞り板３の開口部３ａが開口部１ａ（２ａ）の中央位置に達すると、駆動ピン２２ａが長孔１ｂの右端に当接し、駆動歯車２２の回転が停止する。そのため、センサ９からはＨ信号が、センサ１０からはＬ信号が発せられて、絞り板３が、開口部３ａによる小さい光路開口の制御位置にあることを認識し得るようにする。他方、このようにして、駆動歯車２２の回転が停止すると、２段歯車２７も停止するので、出力歯車２６は回転することができず、上記のスリップ機構にスリップが生じ、モータ１３だけが回転を続け、所定時間後に停止する。その停止状態が、図５に示された状態である。
【００３４】
尚、上記の各実施例の場合には、第１地板１に形成されている長孔１ｂの長手方向の両端をストッパにしているが、第２地板２に形成されている長孔２ｄの長手方向の両端をストッパにしてもよいし、特別なストッパ手段を二つの地板１，２のいずれかに設け、絞り板３や駆動アーム２５をそれらのストッパに当接させるようにしてもよい。また、上記の各実施例の場合には、駆動アーム２５が収容室内に配置されているが、収容室外において第１地板１に回転可能に取り付けるようにしてもよい。但し、その場合には、長孔１ｂは無くてもよくなるが、長孔２ｂと同じ形状の長孔を第１地板１にも形成する必要がある。
【００３５】
また、上記の各実施例の場合は、いずれも減速機構を設けているが、本発明は、必ずしもそのような構成には限定されない。極端な例ではあるが、実施例２において、出力歯車２６を直接駆動歯車２２に噛合させる構成にすることも可能である。更に、上記の各実施例は、駆動アーム２５が、絞り板３を直線的に移動させるように構成されているが、本発明は、このような構成に限定されず、例えば、駆動アーム２５を、面積の大きな絞り板にして小さい開口部を形成しておき、その回転によって、開口部１ａに進退するようにしても差し支えない。
【図面の簡単な説明】
【００３６】
【図１】小さい光路用開口（絞り開口）の選択状態を示した実施例１の正面図である。
【図２】図１の右側面図である。
【図３】図１における一方の地板の一部を切り欠き且つモータ取付板を除いた状態で示した正面図である。
【図４】図３に示されている減速歯車機構に設けられたスリップ機構の説明図である。
【図５】図３と同じ状態を同じようにして示した実施例２の正面図である。
【図６】図５に示されているモータの出力軸に設けられたスリップ機構の説明図である。
【符号の説明】
【００３７】
１                          第１地板
１ａ，２ａ，３ａ            開口部
１ｂ，２ｄ，３ｅ            長孔
２                          第２地板
２ｂ，２ｃ                  折曲部
３                          絞り板
３ｂ，３ｃ，３ｄ，２５ａ    ピン
４，７，１２                ねじ
５                          支持板
６                          プリント配線板
８                          コネクタ
９，１０                    センサ
１１                        モータ取付板
１３                        モータ
１３ａ                      出力軸
１４                        ウォーム
１５                        ピニオン歯車
１５ａ                      フランジ部
１５ｂ，１５ｃ              軸部
１６                        ウォームホイール
１７                        皿ばね座金
１８，１９，２９，３０，３２  平座金
２０，２８，３０            止め輪
２１，２７                  ２段歯車
２２                        駆動歯車
２２ａ                      駆動ピン
２３                        センサ用歯車
２４                        センサ板
２４ａ                      スリット
２５                        駆動アーム
２６                        出力歯車
３１                        コイルばね
【図１】
2005164819.tif 000003
【図２】
2005164819.tif 000004
【図３】
2005164819.tif 000005
【図４】
2005164819.tif 000006
【図５】
2005164819.tif 000007
【図６】
2005164819.tif 000008